(57)【要約】【課題】本発明は、電子機器収納ケース及びケース付電子機器の使い勝手を向上させる。【解決手段】本発明は、ケース本体３２に対しケース蓋体３３が閉塞方向に回転して本体縁部３２Ａに蓋体縁部３３Ａが合わされた状態で可動部４５が閉塞方向とは異なる可動方向に動かされると、溝部４６ＡＸを爪部３２ＤＺに嵌合させて本体縁部３２Ａに蓋体縁部３３Ａが合わされた状態を保持することにより、ケース本体３２に対しケース蓋体３３が閉塞方向に回転して本体縁部３２Ａに蓋体縁部３３Ａが合わされたときに可動部４５をケース本体３２に比較的強い力で押し付けさせなくても可動方向に動かすだけで溝部４６ＡＸを爪部３２ＤＺと嵌合させて本体縁部３２Ａに蓋体縁部３３Ａが合わされた状態を保持でき、電子機器収納ケース及びケース付電子機器の使い勝手を向上させ得る。【選択図】図９
2007281041.tif 000002
【特許請求の範囲】
【請求項１】
互いの第１の縁部と第２の縁部とを合わせて内部に電子機器収納空間を形成する第１及び第２のケース分割体と、
上記第１及び第２のケース分割体の一端部同士を連結して当該第１のケース分割体に対し上記第２のケース分割体を、上記第１のケース分割体の上記第１の縁部から上記第２のケース分割体の上記第２の縁部を離間させて上記電子機器収納空間を外部空間に開放する開放方向、及び上記第１のケース分割体の上記第１の縁部に上記第２のケース分割体の上記第２の縁部を合わせて上記電子機器収納空間を上記外部空間から閉塞する閉塞方向に回動させるヒンジ部と、
上記第２のケース分割体の他端部に設けられ、上記第１のケース分割体に対し上記第２のケース分割体が回動する上記開放方向及び上記閉塞方向とは異なる所定の可動方向に動く可動部と
を具え、
上記第１のケース分割体は、
他端部に係合部が設けられ、
上記可動部は、
被係合部を有し、上記ヒンジ部を介して上記第１のケース分割体に対し上記第２のケース分割体が上記閉塞方向に回転して上記第１の縁部に上記第２の縁部が合わされた状態で上記可動方向に動かされると、上記被係合部と上記係合部とが対向する位置に配され、上記第１の縁部に上記第２の縁部が合わされた状態を保持する
ことを特徴とする電子機器収納ケース。
【請求項２】
上記可動部は、
上記可動方向への動きとして、上記第２のケース分割体の上記一端部から上記他端部への方向とほぼ平行な回転軸を中心にした少なくとも一方の回転方向に回転する回転体
を具え、
上記回転体は、
上記ヒンジ部を介して上記第１のケース分割体に対し上記第２のケース分割体が上記閉塞方向に回転して上記第１の縁部に上記第２の縁部が合わされた状態で、上記回転軸を中心にして上記回転方向に回転されると、上記被係合部と上記係合部とが対向する位置に配され、上記第１の縁部に上記第２の縁部が合わされた状態を保持する
ことを特徴とする請求項１に記載の電子機器収納ケース。
【請求項３】
上記第１及び第２のケース分割体内部の上記電子機器収納空間に収納される電子機器は、
上記電子機器収納空間に収納された状態で上記第１及び第２のケース分割体の上記他端部と対向する位置にプラグ差込用のジャックが設けられ、
上記第１又は第２のケース分割体は、
上記他端部に、上記ジャックに差し込まれる上記プラグを挿通させるプラグ挿通孔が穿設された
ことを特徴とする請求項２に記載の電子機器収納ケース。
【請求項４】
上記プラグ挿通孔は、
上記第１のケース分割体の上記他端部に穿設され、
上記可動部は、
上記ヒンジ部を介して上記第１のケース分割体に対し上記第２のケース分割体が上記閉塞方向に回転して上記第１の縁部に上記第２の縁部が合わされた状態で、上記第１のケース分割体の上記他端部の上記プラグ挿通孔を含む所定範囲の挿通孔穿設領域と対向し、上記回転体を上記回転軸を中心にして上記回転方向に回転可能に保持する回転体保持部材
を具え、
上記回転体保持部材及び上記回転体は、
それぞれ互いの側面から上記プラグ挿通孔と対向する部分まで、上記プラグのつまみ部の太さに応じた切欠が形成された
ことを特徴とする請求項３に記載の電子機器収納ケース。
【請求項５】
上記可動部は、
上記回転体保持部材に対し上記回転体が所定角度まで回転したとき、当該回転体保持部材に対し上記回転体を上記所定角度に保持する保持部材
を具えることを特徴とする請求項４に記載の電子機器収納ケース。
【請求項６】
上記可動部は、
上記回転体保持部材及び上記回転体全体が、上記電子機器の上記ジャックに差し込まれた上記プラグにおいて上記プラグ挿通孔から上記外部空間に突出した部分の長さに応じた厚みを有する
ことを特徴とする請求項５に記載の電子機器収納ケース。
【請求項７】
上記可動部は、
上記回転体保持部材を上記回転体と共に、上記挿通孔穿設領域と対向する位置から待避させる待避部材
を具えることを特徴とする請求項６に記載の電子機器収納ケース。
【請求項８】
上記待避部材は、
上記回転体保持部材を、上記挿通孔穿設領域と対向する位置から上記第２のケース分割体の上記一端部側の方向へ待避用に回転させるための待避用回転軸が一部を露出させて設けられた
ことを特徴とする請求項７に記載の電子機器収納ケース。
【請求項９】
上記第１及び第２のケース分割体の上記第１及び第２の縁部の間に介在される防滴用のパッキン
を具えることを特徴とする請求項１に記載の電子機器収納ケース。
【請求項１０】
電子機器本体と、
上記電子機器本体を収納する収納ケースと
を具え、
上記収納ケースは、
互いの第１の縁部と第２の縁部とを合わせて内部に電子機器収納空間を形成する第１及び第２のケース分割体と、
上記第１及び第２のケース分割体の一端部同士を連結して当該第１のケース分割体に対し上記第２のケース分割体を、上記第１のケース分割体の上記第１の縁部から上記第２のケース分割体の上記第２の縁部を離間させて上記電子機器収納空間を外部空間に開放する開放方向、及び上記第１のケース分割体の上記第１の縁部に上記第２のケース分割体の上記第２の縁部を合わせて上記電子機器収納空間を上記外部空間から閉塞する閉塞方向に回動させるヒンジ部と、
上記第２のケース分割体の他端部に設けられ、上記第１のケース分割体に対し上記第２のケース分割体が回動する上記開放方向及び上記閉塞方向とは異なる所定の可動方向に動く可動部と
を具え、
上記第１のケース分割体は、
他端部に係合部が設けられ、
上記可動部は、
被係合部を有し、上記ヒンジ部を介して上記第１のケース分割体に対し上記第２のケース分割体が上記閉塞方向に回転して上記第１の縁部に上記第２の縁部が合わされた状態で上記可動方向に動かされると、上記被係合部と上記係合部とが対向する位置に配され、上記第１の縁部に上記第２の縁部が合わされた状態を保持する
ことを特徴とするケース付電子機器。
【発明の詳細な説明】
【技術分野】
【０００１】
本発明は電子機器収納ケース及びケース付電子機器に関し、例えば携帯型音楽再生装置を収納する防滴ケースに適用して好適なものである。
【背景技術】
【０００２】
従来の電子機器用防水ケースは、前ケース分割体と後ケース分割体との互いの左側部がヒンジ部を介して連結され、当該前ケース分割体に対し後ケース分割体を第１のヒンジ部の軸を中心にして後ろ側に引いて開く開方向、及びこれとは逆の前ケース分割体に対し後ケース分割体を近づけて閉じる閉方向に回動させるようにしている。また後ケース分割体の右側部には、第１のヒンジ部の軸と平行な軸を有する第２のヒンジ部を介してバックルが連結され、かかるバックルも、第２のヒンジ部の軸を中心にして開方向及び閉方向に回動させるようにしている。さらにバックルの一面には、固定つまみが設けられると共に、これよりも第２のヒンジ部側に可動つまみが、当該固定つまみに対し第１及び第２のヒンジ部の軸と垂直な方向に沿って接近する接近方向及びこれとは逆の離間する離間方向にスライド可能に設けられている。さらに可動つまみの裏面には、上端の第２のヒンジ部側に傾斜面を有する係止片が突設され、かかる係止片がバックルの他面側に露出している。これに加えて可動つまみは、バックルに一端が係止されたコイルスプリングの他端に係止され、当該コイルスプリングにより第２のヒンジ部側に引っ張るように付勢されている。
【０００３】
さらにまた前ケース分割体の右側部には、バックルを収納する凹部が形成され、かかる凹部の底面には、バックルの係止片に対向させて、Ｌ字状でかつ上端の前側に傾斜面を有する２つの壁部が突設されている。これにより電子機器用防水ケースは、前ケース分割体に対し後ケース分割体が閉じられた状態でバックルが前ケース分割体の凹部に押し付けられると、コイルスプリングの弾性力に抗して係止片を、その傾斜面と２つの壁部の傾斜面とを摺動させて一旦は当該２つの壁部の前側（すなわち、第２のヒンジ部から離間する側）に回り込ませて、次にはコイルスプリングの弾性力に従い当該前側からこれら２つの壁部の間に引き込んで係止させる。このようにして電子機器用防水ケースは、前ケース分割体及び後ケース分割体の双方の合わせ部が合わされた状態を保持していた（例えば、特許文献１参照）。
【特許文献１】特開２００６−６４８１４公報（第６頁、第１０頁、図３、図５、図８）
【発明の開示】
【発明が解決しようとする課題】
【０００４】
ところで従来の電子機器用防水ケースは、前ケース分割体に対し後ケース分割体を閉方向に回転させて閉じた後、当該後ケース分割体に対してバックルも閉方向に回転させて前ケース分割体の凹部に押し付けるように、これら後ケース分割体及びバックルの両方を同一の閉方向に回転させることで、係止片を２つの壁部に係止させていた。ところが従来の電子機器用防水ケースのように、後ケース分割体と共にバックルも同一の閉方向に回転させるだけで、前ケース分割体及び後ケース分割体の合わせ部同士が合わされた状態を保持するような機構では、バックルの係止片を一旦は２つの壁部の上端側から前側に強制的に回り込ませるように、比較的強い力でバックルを前ケース分割体の凹部に押し付けさせる必要があり、使い勝手がわるいという問題があった。
【０００５】
本発明は以上の点を考慮してなされたもので、使い勝手を向上し得る電子機器収納ケース及びケース付電子機器を提案しようとするものである。
【課題を解決するための手段】
【０００６】
かかる課題を解決するため本発明においては、互いの第１の縁部と第２の縁部とを合わせて内部に電子機器収納空間を形成する第１及び第２のケース分割体と、当該第１及び第２のケース分割体の一端部同士を連結してその第１のケース分割体に対し第２のケース分割体を、第１のケース分割体の第１の縁部から第２のケース分割体の第２の縁部を離間させて電子機器収納空間を外部空間に開放する開放方向、及び第１のケース分割体の第１の縁部に第２のケース分割体の第２の縁部を合わせて電子機器収納空間を外部空間から閉塞する閉塞方向に回動させるヒンジ部とを設けると共に、第２のケース分割体の他端部に、被係合部を有し、第１のケース分割体に対し第２のケース分割体が回動する開放方向及び閉塞方向とは異なる所定の可動方向に動く可動部を設け、さらに第１のケース分割体の他端部に係合部を設けるようにして、ヒンジ部を介して第１のケース分割体に対し第２のケース分割体が閉塞方向に回転して第１の縁部に第２の縁部が合わされた状態で可動部が可動方向に動かされると、被係合部と係合部とが対向する位置に配され、第１の縁部に第２の縁部が合わされた状態を保持するようにした。
【０００７】
従って本発明では、第１のケース分割体に対し第２のケース分割体が閉塞方向に回転して第１の縁部に第２の縁部が合わされた状態において、可動部を第１のケース分割体に比較的強い力で押し付けさせるようなことをしなくても単に閉塞方向とは異なる可動方向に動かすだけで被係合部と係合部とが対向する位置に配され、第１の縁部に第２の縁部が合わされた状態を保持することができる。
【発明の効果】
【０００８】
本発明によれば、互いの第１の縁部と第２の縁部とを合わせて内部に電子機器収納空間を形成する第１及び第２のケース分割体と、当該第１及び第２のケース分割体の一端部同士を連結してその第１のケース分割体に対し第２のケース分割体を、第１のケース分割体の第１の縁部から第２のケース分割体の第２の縁部を離間させて電子機器収納空間を外部空間に開放する開放方向、及び第１のケース分割体の第１の縁部に第２のケース分割体の第２の縁部を合わせて電子機器収納空間を外部空間から閉塞する閉塞方向に回動させるヒンジ部とを設けると共に、第２のケース分割体の他端部に、被係合部を有し、第１のケース分割体に対し第２のケース分割体が回動する開放方向及び閉塞方向とは異なる所定の可動方向に動く可動部を設け、さらに第１のケース分割体の他端部に係合部を設けるようにして、ヒンジ部を介して第１のケース分割体に対し第２のケース分割体が閉塞方向に回転して第１の縁部に第２の縁部が合わされた状態で可動部が可動方向に動かされると、被係合部と係合部とが対向する位置に配され、第１の縁部に第２の縁部が合わされた状態を保持するようにしたことにより、第１のケース分割体に対し第２のケース分割体が閉塞方向に回転して第１の縁部に第２の縁部が合わされた状態において、可動部を第１のケース分割体に比較的強い力で押し付けさせるようなことをしなくても単に閉塞方向とは異なる可動方向に動かすだけで被係合部と係合部とが対向する位置に配され、第１の縁部に第２の縁部が合わされた状態を保持することができ、かくして使い勝手を向上し得る電子機器収納ケース及びケース付電子機器を実現することができる。
【発明を実施するための最良の形態】
【０００９】
以下図面について、本発明の一実施の形態を詳述する。
【００１０】
（１）一実施の形態
（１−１）携帯型音楽再生装置の外観構成
図１及び図２（Ａ）乃至（Ｆ）において、１は全体として、角部がまるみを帯びた略直方体形状の外形を有する携帯型音楽再生装置を示している。この携帯型音楽再生装置１は、外形を中心より一端側の所定位置で一端側と他端側とに二分して得られる当該他端側の部分が本体２であり、その本体２の一端にコネクタ３が突設され、かかる外形を二分したときの一端側の部分が、本体２の一端に着脱可能でコネクタ３を覆うキャップ（以下、これをコネクタ用キャップとも呼ぶ）４を形成している。因みに携帯型音楽再生装置１は、例えば手の平に収まる程度の大きさを有している。
【００１１】
本体２の正面２Ａには、中央に一端から他端への方向（以下、これを本体長手方向と呼ぶ）と平行な細長い液晶パネル又は有機ＥＬ（Electro Luminescence）パネル等でなる表示部５が設けられていると共に、この表示部５よりも他端側に、表示部５の表示内容を切り替えるための表示内容切替ボタン６が設けられ、さらにその表示内容切替ボタン６よりも一端側に、音楽を再生又は停止するための再生／停止ボタン７が設けられている。また本体２の一側面２Ｂには、その一端側に、音楽を早送りするための早送りボタン８と、巻き戻すための巻き戻しボタン９とが本体長手方向に沿って並べて設けられている。
【００１２】
さらに本体２の背面２Ｃには、その他端部の一側面２Ｂ寄りに、音量を上げるための音量＋ボタン１０と下げるための音量−ボタン１１とが本体長手方向に沿って並べて設けられていると共に、他側面２Ｄ寄りに、本体長手方向と平行な細長いスライド溝１２と、このスライド溝１２に沿ってスライドするスライドスイッチ１３とが設けられている。このスライドスイッチ１３は、スライド溝１２の他端側にスライドさせられると各種操作ボタン（表示内容切替ボタン６、再生／停止ボタン７、早送りボタン８、巻き戻しボタン９、音量＋ボタン１０及び音量−ボタン１１）に対する操作を有効にし、一端側にスライドさせられると各種操作ボタンに対する操作を無効にする、いわゆるホールドスイッチである。
【００１３】
これに加えて本体２の背面２Ｃの他端には、当該本体２の他端面２Ｅに貫通する、ストラップの松葉紐を通すための貫通孔（以下、これをストラップ用孔と呼ぶ）１４の一方の口が設けられている。さらに本体２の他端面２Ｅには、その背面２Ｃ寄りにストラップ用孔１４の他方の口が設けられていると共に、中央にイヤホンジャック１５が設けられ、このイヤホンジャック１５にイヤホンＥＰに設けられたイヤホンプラグ１６を差し込むことができるようになされている。
【００１４】
一方、コネクタ３には、その一端にオス型口部１７が設けられ、このオス型口部１７を、パーソナルコンピュータ等の外部機器に設けられたコネクタのメス型口部に直接挿入することで、外部機器と接続してデータをやり取りし得るようになされている。実際上、このコネクタ３を使用して外部機器と接続するときには、図３に示すように、コネクタ用キャップ４を本体２から取り外すことでコネクタ３を外部に露出させ、これに対してこのコネクタ３を使用しないときには、コネクタ用キャップ４を本体２に取り付けることで、このコネクタ用キャップ４でコネクタ３を覆って保護し得るようになされている。
【００１５】
（１−２）携帯型音楽再生装置の回路構成
次いで、上述した外観構成を有する携帯型音楽再生装置１の回路構成について、図４を用いて説明する。携帯型音楽再生装置１は、制御部２０が、例えばフラッシュメモリでなる記憶部２１から読み出したプログラムに従って全体を統括的に制御すると共に各種処理を実行するようになされている。また携帯型音楽再生装置１は、コネクタ３を介して外部機器と接続されたときに、この外部機器から転送されてくる音楽データを記憶部２１に記憶し、さらに外部機器との接続時、コネクタ３を介して外部機器から供給される電源により図示しない内蔵のバッテリを充電するようにもなされている。
【００１６】
この携帯型音楽再生装置１の制御部２０は、外部機器と接続されていない状態で、各種操作ボタン及びスイッチである操作部２２を介して、音楽データを再生する操作（以下、これを再生操作と呼ぶ）が行われたことを認識すると、これに応じて記憶部２１から音楽データを読み出し、これを音声処理部２３に送出する。音声処理部２３は、かかる音楽データに対し復号処理及び増幅処理等の所定の音声処理を施すことで音楽信号を得て、この音楽信号をイヤホンジャック１５に送出する。この結果、制御部２０は、このイヤホンジャック１５に差し込まれたイヤホンプラグ１６を介してイヤホンＥＰから音楽信号に基づく音楽を放音させる。このようにして携帯型音楽再生装置１は、記憶部２１に記憶されている音楽データを再生し得るようになされている。
【００１７】
また音楽データの再生時、携帯型音楽再生装置１の制御部２０は、音楽データに付加されている音楽データに関する情報（例えば、音楽のタイトル、アーティスト名、ジャンル等）や、現在の音量を示す情報、バッテリの残容量を示す情報等の各種情報を、表示部５に表示するようにもなされている。因みに表示部５は、例えば、表示領域が横一行十数文字程度の情報を表示し得る大きさを有し、一度に表示しきれない情報については、制御部２０の制御により、スクロールさせて表示し、また切り替えて表示するようになされている。
【００１８】
（１−３）防滴ケースの構成
かかる構成に加えてこの携帯型音楽再生装置１は、図５及び図６に示すような防滴ケース３０内に収納し得るようになされている。この防滴ケース３０は、携帯型音楽再生装置１の外形に合わせて、角部がまるみを帯び、かつ中空な略直方体状の外形のケース本体部３１を有している。この場合、ケース本体部３１は、一端部（以下、これをケース一端部と呼ぶ）から他端部（以下、これをケース他端部と呼ぶ）への方向（以下、これをケース長手方向と呼ぶ）と平行でかつ幅広な一対の板材のうち、一方の板材の縁部に沿って二分して得られる箱型の第１のケース分割体（以下、これをケース本体と呼ぶ）３２と、残りの当該板材である第２のケース分割体（以下、これをケース蓋体と呼ぶ）３３とから構成されている。そしてケース本体部３１は、ケース本体３２の縁部（以下、これを本体縁部と呼ぶ）３２Ａとケース蓋体３３の縁部（以下、これを蓋体縁部と呼ぶ）３３Ａとを合わせたとき、当該ケース本体３２及びケース蓋体３３の内部に携帯型音楽再生装置１を収納するための装置収納空間を形成している。
【００１９】
ここでケース本体３２の一端部（以下、これを特に本体一端部と呼ぶ）には、ケース長手方向と直交し、かつケース蓋体３３の表面（以下、これを蓋体表面と呼ぶ）３３Ｂとほぼ平行な回動軸３４Ａを有するヒンジ部（以下、これをケースヒンジ部と呼ぶ）３４の板状固定部材３４Ｂが設けられている。さらにケース蓋体３３の一端部（以下、これを特に蓋体一端部と呼ぶ）には、かかるケースヒンジ部３４において板状固定部材３４Ｂの両側に位置する一対の腕状固定部材３４Ｃ及び３４Ｄが設けられている。そしてケースヒンジ部３４は、板状固定部材３４Ｂの先端部及び一対の腕状固定部材３４Ｃ及び３４Ｄの先端部にそれぞれ軸受孔が穿設され、一方の腕状固定部材３４Ｃの軸受孔から板状固定部材３４Ｂの軸受孔を介して他方の腕状固定部材３４Ｄの軸受孔まで回動軸３４Ａが挿通されている。これによりケースヒンジ部３４は、ケース本体３２の本体一端部とケース蓋体３３の蓋体一端部とを連結して当該ケース本体３２に対しケース蓋体３３を、回動軸３４Ａを中心にしてケース本体３２の本体縁部３２Ａからケース蓋体３３の蓋体縁部３３Ａを離間させて装置収納空間を外部空間に開放する開放方向、及びこれとは逆のケース本体３２の本体縁部３２Ａにケース蓋体３３の蓋体縁部３３Ａを合わせて装置収納空間を外部空間から閉塞する閉塞方向に回動させ得るようになされている。
【００２０】
従ってケース本体部３１は、ケース本体３２に対しケース蓋体３３が開放方向に回転された場合、外部から当該ケース本体３２内に携帯型音楽再生装置１を入れさせ、又はその入れられた携帯型音楽再生装置１を外部に取り出させることができる。またケース本体部３１は、ケース本体３２に対しケース蓋体３３が開放方向に回転され、外部からケース本体３２の内部に携帯型音楽再生装置１が入れられた状態で、そのケース本体３２に対しケース蓋体３３が閉塞方向に回転されて本体縁部３２Ａと蓋体縁部３３Ａとが合わされると、ケース本体３２及びケース蓋体３３の内部に携帯型音楽再生装置１を収納した状態にすることができる。
【００２１】
実際にケース本体部３１は、ケース一端部側に携帯型音楽再生装置１の一端を位置させ、かつケース他端部側に当該携帯型音楽再生装置１の他端を位置させ、さらに携帯型音楽再生装置１の正面２Ａをケース本体３２内で底板３２Ｂと対向させて、ケース本体３２及びケース蓋体３３の内部に携帯型音楽再生装置１を収納させるようになされている。このためケース本体３２の底板３２Ｂには、ケース本体３２及びケース蓋体３３の内部に携帯型音楽再生装置１が収納されたときに、その携帯型音楽再生装置１の正面２Ａに設けられた表示内容切替ボタン６及び再生／停止ボタン７と対向する部分に略瓢箪形状の孔部３２ＢＸが穿設されている。そしてケース本体３２には、かかる底板３２Ｂの孔部３２ＢＸを塞ぐように、ゴム材により所定の厚みを有し略瓢箪形状に形成されたボタンカバー３５が取り付けられている。ところでボタンカバー３５は、その側面に対し一周に渡って溝が形成されている。そしてケース本体３２は、ボタンカバー３５の側面の溝に孔部３２ＢＸの縁部を潜り込ませて密着させるように当該ボタンカバー３５が取り付けられている。これによりケース本体３２は、外部から水滴や塵等が孔部３２ＢＸの部分を介して装置収納空間内へ侵入することを防ぐようになされている。またケース本体３２は、底板３２Ｂの厚みに対し、孔部３２ＢＸの縁部のみが一周に渡って肉薄に形成されている。従ってボタンカバー３５は、側面に形成される溝の幅が、孔部３２ＢＸの縁部の厚みに合わせて極力狭くされ、その結果、ボタンカバー３５全体の厚みも極力薄くされている。これによりケース本体３２は、表示内容切替ボタン６及び再生／停止ボタン７をあたかも直接押下操作させているように、外部からボタンカバー３５を介して当該表示内容切替ボタン６及び再生／停止ボタン７を個別に押下操作させ得るようになされている。
【００２２】
またケース本体３２の一方の側壁３２Ｃには、ケース本体３２及びケース蓋体３３の内部に携帯型音楽再生装置１が収納されたときに、その携帯型音楽再生装置１の一側面２Ｂに設けられた早送りボタン８及び巻き戻しボタン９と対向する部分に略レーストラック状の孔部３２ＣＸが穿設されている。そしてケース本体３２には、かかる一方の側壁３２Ｃの孔部３２ＣＸを塞ぐように、ゴム材により所定の厚みを有し略レーストラック形状に形成されたボタンカバー３６が取り付けられている。この場合、ボタンカバー３６も、その側面に対し一周に渡って溝が形成されている。そしてケース本体３２は、ボタンカバー３６の側面の溝に孔部３２ＣＸの縁部を潜り込ませて密着させるように当該ボタンカバー３６が取り付けられている。これによりケース本体３２は、外部から水滴や塵等が孔部３２ＣＸの部分を介して装置収納空間内へ侵入することを防ぐようになされている。またケース本体３２は、側壁３２Ｃの厚みに対し、孔部３２ＣＸの縁部のみが一周に渡って肉薄に形成されている。従ってボタンカバー３６は、側面に形成される溝の幅が、孔部３２ＣＸの縁部の厚みに合わせて極力狭くされ、その結果、ボタンカバー３６全体の厚みも極力薄くされている。これによりケース本体３２は、早送りボタン８及び巻き戻しボタン９をあたかも直接押下操作させているように、外部からボタンカバー３６を介して当該早送りボタン８及び巻き戻しボタン９を個別に押下操作させ得るようになされている。
【００２３】
さらにケース蓋体３３には、ケース本体３２及びケース蓋体３３の内部に携帯型音楽再生装置１が収納されたときに、その携帯型音楽再生装置１の背面２Ｃに設けられた音量＋ボタン１０及び音量−ボタン１１と対向する部分に略レーストラック状の孔部３３Ｃが穿設されている。そしてケース蓋体３３には、かかる孔部３３Ｃを塞ぐように、ゴム材により所定の厚みを有し略レーストラック形状に形成されたボタンカバー３７が取り付けられている。この場合、かかるボタンカバー３７についても、その側面に対し一周に渡って溝が形成されている。そしてケース蓋体３３は、ボタンカバー３７の側面の溝に孔部３３Ｃの縁部を潜り込ませて密着させるように当該ボタンカバー３７が取り付けられている。これによりケース蓋体３３は、外部から水滴や塵等が孔部３３Ｃの部分を介して装置収納空間内へ侵入することを防ぐようになされている。またケース蓋体３３は、その厚みに対し、孔部３３Ｃの縁部のみが一周に渡って肉薄に形成されている。従ってボタンカバー３７は、側面に形成される溝の幅を、孔部３３Ｃの縁部の厚みに合わせて極力狭くすることができ、その結果、ボタンカバー３７全体の厚みも極力薄く形成されている。これによりケース蓋体３３は、音量＋ボタン１０及び音量−ボタン１１をあたかも直接押下操作させているように、外部からボタンカバー３７を介して当該音量＋ボタン１０及び音量−ボタン１１を個別に押下操作させ得るようになされている。
【００２４】
これに加えて図６及び図７に示すように、ケース本体３２の他端部（以下、これを特に本体他端部と呼ぶ）側の壁（以下、これを他端壁と呼ぶ）３２Ｄには、略円柱状の突出部３２ＤＸが設けられている。またケース本体３２の突起部３２ＤＸは、携帯型音楽再生装置１の他端面２Ｅに設けられたイヤホンジャック１５に対向する部分にプラグ挿通孔３２ＤＹが穿設されている。この場合、かかる突起部３２ＤＸのプラグ挿通孔３２ＤＹは、ケース本体３２の内部側が所定径の第１の孔３２ＤＹＸとなり、かつ外部空間側が当該所定径よりも一辺の長い略四角形状の第２の孔３２ＤＹＹとなるように内面に一周に渡って段差３２ＤＹＺが形成されている。そしてケース本体３２の突起部３２ＤＸには、円板状のゴム材でなるパッキン３８がその外周部を一周に渡って、第１の孔３２ＤＹＸと第２の孔３２ＤＹＹとの段差３２ＤＹＺに突き当てるように嵌め込まれている。この場合、パッキン３８は、外周部が一周に渡って肉厚に形成され、かつ中央部が肉薄に形成されている。またパッキン３８は、肉薄部分のさらに中心部に孔部３８Ａが穿設されている。さらに突起部３２ＤＸのプラグ挿通孔３２ＤＹには、第２の孔３２ＤＹＹの形状に応じた略四角形状の板材中心部に円形の孔部３９Ａが穿設されたパッキン押え部材３９が、当該第２の孔３２ＤＹＹに嵌め込まれてパッキン３８の外周部をわずかに押しつぶした状態で固定されている。
【００２５】
ここでイヤホンジャック１５に差し込まれるイヤホンプラグ１６は、携帯型音楽再生装置１の内部と導通する金属ピン１６Ａを有し、かかる金属ピン１６Ａの根元部分には、当該根元部分を被覆した略円筒状（すなわち、金属ピン１６Ａよりも太い円筒状）の樹脂材でなるつまみ部１６Ｂが設けられている。そしてケース本体３２において突起部３２ＤＸの第１の孔３２ＤＹＸは、イヤホンプラグ１６のつまみ部１６Ｂの径よりもわずかに太く選定されている。またパッキン押え部材３９の孔部３９Ａの径も同様につまみ部１６Ｂの径よりもわずかに太く選定されている。従ってケース本体部３１は、ケース本体３２及びケース蓋体３３の内部に携帯型音楽再生装置１が収納された場合、外部からイヤホンプラグ１６の先端側をパッキン押え部材３９の孔部３９Ａと、プラグ挿通孔３２ＤＹ及びパッキン３８の孔部３８Ａとを順次通して装置収納空間に到達させ、携帯型音楽再生装置１のイヤホンジャック１５に対し当該イヤホンプラグ１６の金属ピン１６Ａを差し込ませることができる。これによりケース本体部３１は、ケース本体３２及びケース蓋体３３の内部に携帯型音楽再生装置１が収納された場合でも、当該携帯型音楽再生装置１で再生される音楽をイヤホンＥＰを介してユーザに聴取させることができる。
【００２６】
ただしパッキン３８の孔部３８Ａは、かかるイヤホンプラグ１６のつまみ部１６Ｂの径よりも細い所定径に選定されている。従ってケース本体部３１は、ケース本体３２及びケース蓋体３３の内部に収納された携帯型音楽再生装置１のイヤホンジャック１５に対し外部からイヤホンプラグ１６の金属ピン１６Ａが差し込まれた場合、当該イヤホンプラグ１６のつまみ部１６Ｂにおける金属ピン１６Ａ寄りに、パッキン３８の孔部３８Ａの肉薄な縁部を一周に渡って密着させている。またケース本体３２では、突起部３２ＤＸのプラグ挿通孔３２ＤＹの段差３２ＤＹＺと、パッキン押え部材３９との間でパッキン３８の外周部を押しつぶしている。これによりケース本体部３１は、ケース本体３２及びケース蓋体３３の内部に収納された携帯型音楽再生装置１のイヤホンジャック１５に対し外部からイヤホンプラグ１６の金属ピン１６Ａが差し込まれた場合、当該イヤホンプラグ１６とパッキン３８の孔部３８Ａとの間や、ケース本体３２において突起部３２ＤＸのプラグ挿通孔３２ＤＹの内面と、パッキン３８の外周部との間を介して外部から水滴や塵等が装置収納空間内に侵入することを確実に防止している。
【００２７】
またケース蓋体３３の蓋体縁部３３Ａには、一周に渡って溝３３Ｄが形成されている。そしてケース蓋体３３は、かかる溝３３Ｄに環状のパッキン４０の一周に渡る一方の面側が嵌め込まれ、当該パッキン４０の他方の面側がその溝３３Ｄから突出している。従ってケース本体部３１は、ケース本体３２に対しケース蓋体３３が閉塞方向に回転して本体縁部３２Ａに対し蓋体縁部３３Ａが合わされるとき、当該本体縁部３３Ａに対し一周に渡ってパッキン４０の一周に渡る他方の面側を押し付けて密着させ得るようになされている。これによりケース本体部３１は、ケース本体３２に対しケース蓋体３３が閉塞方向に回転して本体縁部３２Ａに対し蓋体縁部３３Ａが合わせられる場合、当該本体縁部３２Ａと蓋体縁部３３Ａとの間に介在するパッキン４０により、外部から水滴や塵等が本体縁部３２Ａと蓋体縁部３３Ａとの間を通って装置収納空間内へ侵入することを防ぐことができるようになされている。
【００２８】
さらにケース蓋体３３の他端部（以下、これを特に蓋体他端部と呼ぶ）には、ケース本体３２の本体縁部３２Ａとケース蓋体３３の蓋体縁部３３Ａとが合わされる状態を保持するために用いられる可動部４５が設けられている。かかる可動部４５は、略Ｃ字形状の回転体４６と、その回転体４６を当該回転体４６の中心軸（以下、これを回転軸と呼ぶ）を中心にして時計回り方向及びこれとは逆の反時計回り方向に回動可能に保持する回転体保持部材４７とを有している。この場合、回転体保持部材４７は、略円柱形状の保持部本体４７Ａの一端及び他端に略円板形状の一端側回転ガイド体４７Ｂ及び他端側回転ガイド体４７Ｃが互いの中心軸を同一線上に位置させて設けられている。また回転体保持部材４７は、一端側回転ガイド体４７Ｂの側面から当該一端側回転ガイド体４７Ｂの一面の中央部にまで到達する略Ｕ字形状（すなわち、中心部の方が円弧状となる）の切欠が、一端側回転ガイド体４７Ｂから保持部本体４７Ａを介して他端側回転ガイド体４７Ｃに渡って形成されている。
【００２９】
さらに保持部本体４７Ａは、その一端から他端までの高さが、回転体４６の厚みとほぼ同等に選定されている。さらにまた保持部本体４７Ａは、その径が、回転体４６の内径とほぼ同等に選定されている。そして回転体保持部材４７には、保持部本体４７Ａの側面に対し回転体４６の内面を対向させるように回転体４６が嵌合されている。これにより回転体保持部材４７は、保持部本体４７Ａの中心軸に回転体４６の回転軸を一致させ、かくして保持部本体４７Ａの周囲で回転軸を中心にして回転体４６を時計回り方向及び反時計回り方向に回動させ得るようになされている。また回転体保持部材４７は、一端側回転ガイド体４７Ｂ及び他端側回転ガイド体４７Ｃの径が、保持部本体４７Ａの径よりも大きく選定されている。従って回転体保持部材４７は、一端側回転ガイド体４７Ｂ及び他端側回転ガイド体４７Ｃにより、回転体４６が保持部本体４７Ａの外側面上でのみ回転するようにガイドし、当該保持部本体４７Ａから抜けないようにしている。
【００３０】
さらに可動部４５には、略有底筒状の回転操作つまみ４８が設けられ、かかる回転操作つまみ４８も側面から一面の中央部にまで到達する略Ｕ字形状（すなわち、中心部の方が円弧状となる）の切欠が当該一面から開口部の縁に渡って形成されている。そして回転操作つまみ４８は、回転体４６を保持する回転体保持部材４７に被せられた状態で、回転軸の延長線上に当該回転操作つまみ４８の中心軸を位置させ、内面に回転体４６の側面が固定されている。これにより可動部４５は、回転操作つまみ４８が指等でつままれて回転軸を中心にして時計回り方向及び反時計回り方向に回転操作されると、これに応じて回転体４６も回転軸を中心にして時計回り方向及び反時計回り方向に回転させ得るようになされている。
【００３１】
ここで可動部４５において回転体保持部材４７は、略Ｕ字状の切欠の幅がイヤホンプラグ１６のつまみ部１６Ｂの径に応じて、これよりもわずかに広く選定されている。また回転体４６も、一対の開放端の間隔が、イヤホンプラグ１６のつまみ部１６Ｂの径に応じて、これよりもわずかに広く選定されている。さらに回転操作つまみ４８も、略Ｕ字状の切欠の幅がイヤホンプラグ１６のつまみ部１６Ｂの径に応じて、これよりもわずかに広く選定されている。そして回転体４６は、一対の開放端を、回転操作つまみ４８の側壁に形成された一対の切欠端に合わせて当該回転操作つまみ４８に固定されている。
【００３２】
従って可動部４５は、回転操作つまみ４８に対する回転操作に応じて、当該回転操作つまみ４８の切欠端に、回転体保持部材４７の切欠端を合わせることができる。すなわち可動部４５は、回転体保持部材４７及び回転操作つまみ４８の略Ｕ字状の切欠部分を合わせることができ、その際には全体としてあたかも、円柱の一端から他端に渡り側面から中央部にまで到達する断面略Ｕ字状の溝部が形成されたような外観を有する状態（以下、これを溝部開放状態と呼ぶ）になる。また可動部４５は、回転体保持部材４７に対し回転操作つまみ４８と共に回転体４６が回転して、当該回転体保持部材４７の切欠部分に対し回転操作つまみ４８の切欠部分がずれると、回転体保持部材４７の切欠部分の一部に回転操作つまみ４８及び回転体４６の切欠部分が形成されてはいない部分を介在させる。従って可動部４５は、このように回転体保持部材４７の切欠部分に対し回転操作つまみ４８の切欠部分がずれると、その際には全体としてあたかも、一端から他端に渡り中心部に円形の孔部が穿設されたような円筒形状の外観を有する状態（以下、これを溝部閉塞状態と呼ぶ）になる。そして可動部４５は、このように溝部閉塞状態になると、そのとき回転体保持部材４７と、回転体４６及び回転操作つまみ４８とにより中心部に形成される孔部に対し、イヤホンプラグ１６のつまみ部１６Ｂを挿し通すことができるようになされている。
【００３３】
実際上、図８（Ａ）及び（Ｂ）に示すように、回転体４６は、回転操作つまみ４８の内壁に沿うように円弧状に形成された板状部材４６Ａを有し、当該板状部材４６Ａの一端部及び他端部がそれぞれ内面に向けて折り曲げられることにより形成された角部がそれぞれ開放端４６ＡＭ及び４６ＡＮとなる。また回転体４６は、回転操作つまみ４８に対する回転操作時に、かかる板状部材４６Ａの一端（以下、これを第１の角度制限係止端と呼ぶ）４６ＡＰ及び他端（以下、これを第２の角度制限係止端と呼ぶ）４６ＡＱにおいて互いに対向する側の隅部をそれぞれ回転体保持部材４７の保持部本体４７Ａの側面に対し摺動させるようになされている。さらに回転体４６は、板状部材４６Ａの内面の所定位置に、円弧形状の位置保持用腕部４６ＡＲの外面の一端部がこれに植設された一対の足部４６ＡＳ及び４６ＡＴを介して取り付けられている。さらにまた位置保持用腕部４６ＡＲの内面の他端部には、回転体４６の内側に突出する位置保持用突起４６ＡＵが設けられている。この場合、回転体４６を構成する板状部材４６Ａ及び位置保持用腕部４６ＡＲは、所定の樹脂材により一体成形され、当該位置保持用腕部４６ＡＲは、ばね性を有している、そして回転体４６は、回転操作つまみ４８に対する回転操作時に、かかる位置保持用腕部４６ＡＲが他端部を外面側に反らせながら内面の一端部側と位置保持用突起４６ＡＵとを、回転体保持部材４７の保持部本体４７Ａの側面に対し摺動させるようになされている。これにより回転体４６は、回転体保持部材４７の保持部本体４７Ａに対して回転し得るようになされている。
【００３４】
一方、回転体保持部材４７は、例えば他端側回転ガイド体４７Ｃの他面（すなわち、一端側回転ガイド体４７Ｂと対向する側の面）と保持部本体４７Ａの一方の切欠端４７ＡＬとの接合位置に、第１の角度制限係止突起４７ＣＸが設けられている。これにより図８（Ａ）に示すように、可動部４５は、例えば回転操作つまみ４８の一面を正面に見て当該回転操作つまみ４８が反時計回り方向に回転されると、回転体４６の第１の角度制限係止端４６ＡＰを第１の角度制限係止突起４７ＣＸに係止させて、回転操作つまみ４８及び回転体４６の反時計回り方向への回転をその時点の回転角度（以下、これを第１の回転制限角度と呼ぶ）に制限している。
【００３５】
ところで可動部４５は、回転体保持部材４７に対する回転体４６の反時計回り方向への回転を、当該回転体保持部材４７の切欠端４７ＡＬ及び４７ＡＵに対し回転体４６の開放端４６ＡＭ及び４６ＡＮを合わせた第１の回転制限角度に制限するように（すなわち、かかる第１の回転制限角度よりも反時計回り方向へは回転させないように）、回転体４６における第１の角度制限係止端４６ＡＰの配置位置や回転体保持部材４７における第１の角度制限係止突起４７ＣＸの配置位置が選定されている。従って可動部４５は、回転操作つまみ４８に対する反時計回り方向への回転操作に応じて回転体保持部材４７に対し回転体４６を回転させても、その回転を制限したときには、回転操作つまみ４８の切欠部分に回転体保持部材４７の切欠部分を合わせた溝部開放状態になる。
【００３６】
また回転体保持部材４７において保持部本体４７Ａは、他方の切欠端４７ＡＭが先端程薄く形成され、側面において他方の切欠端４７ＡＭ寄りの所定位置に、第１の位置保持用凹部４７ＡＮと第１の位置保持用凸部４７ＡＰとが並設されている。従って可動部４５は、例えば回転操作つまみ４８の一面を正面に見て当該回転操作つまみ４８が反時計回り方向に回転され、かかる反時計回り方向への回転を制限するとき、回転体４６の位置保持用腕部４６ＡＲに設けられた位置保持用突起４６ＡＵを、回転体保持部材４７の第１の位置保持用凸部４７ＡＰを乗り越えさせてから第１の位置保持用凹部４７ＡＮに落とし込んでいる。すなわち可動部４５は、回転体４６の位置保持用腕部４６ＡＲに設けられた位置保持用突起４６ＡＵを、回転体保持部材４７の第１の位置保持用凹部４７ＡＮに落とし込むことで、当該回転体保持部材４７に対し回転体４６を第１の回転制限角度に保持し得るようになされている。
【００３７】
また回転体４６の位置保持用突起４６ＡＵには、反時計回り方向への回転によって、回転体保持部材４７の一方及び他方の切欠端４７ＡＬ及び４７ＡＭ間と、当該他方の切欠端４７ＡＭの肉薄な部分とを通過するときに何ら接触するものがないため、位置保持用腕部４６ＡＲの形状は本来の円弧形状になっている。しかしながら位置保持用腕部４６ＡＲの形状は、位置保持用突起４６ＡＵが、保持部本体４７Ａの他方の切欠端４７ＡＭを過ぎ、第１の位置保持用凸部４７ＡＰを乗り越えるときに当該第１の位置保持用凸部４７ＡＰに押し上げられるため、本来の円弧形状から外面側に反るように変形する。従って可動部４５は、このように反時計回り方向への回転により位置保持用突起４６ＡＵが第１の位置保持用凸部４７ＡＰを乗り越えるときに位置保持用腕部４６ＡＲが外面に反るために要する力を、回転操作つまみ４８に対する回転操作の負荷として（すなわち、一瞬、回転させづらくなったような感覚として）ユーザに伝える。また可動部４５は、かかる負荷をユーザに伝えた次の瞬間には、位置保持用突起４６ＡＵを第１の位置保持用凹部４７ＡＮに落とし込んで、位置保持用腕部４６ＡＲの形状を本来の円弧形状に戻し、その負荷を取り除くことで、回転操作の感覚を元に戻している。そして可動部４５は、このように位置保持用突起４６ＡＵを第１の位置保持用凹部４７ＡＮに落とし込んだときには、回転体保持部材４７に対する回転体４６の回転を制限すると共に、当該回転体４６をその時点の第１の回転制限角度に保持する。このため可動部４５は、ユーザにより回転操作つまみ４８が反時計回り方向へ回転操作されたとき、当該ユーザに対し回転操作つまみ４８に対する回転操作時の負荷の変化によって、回転操作つまみ４８を反時計回り方向へ第１の回転制限角度まで回転させ、かつ回転体４６をその第１の回転制限角度に保持したことを直感的に認識させることができるようになされている。
【００３８】
一方、回転体保持部材４７は、例えば他端側回転ガイド体４７Ｃの他面と保持部本体４７Ａの側面との所定の接合位置に、第２の角度制限係止突起４７ＣＹが設けられている。従って図８（Ｂ）に示すように、可動部４５は、例えば回転操作つまみ４８の一面を正面に見て当該回転操作つまみ４８が時計回り方向に回転されると、回転体４６の第２の角度制限係止端４６ＡＱを第２の角度制限係止突起４７ＣＹに係止させて、回転操作つまみ４８及び回転体４６の時計回り方向への回転をその時点の回転角度（以下、これを第２の回転制限角度と呼ぶ）に制限している。
【００３９】
ところで可動部４５は、回転体保持部材４７に対する回転体４６の時計回り方向への回転を、回転体４６の開放端４６ＡＭ及び４６ＡＮの間に当該回転体保持部材４７の切欠部分の最も深い位置の裏側（すなわち、側面）を露出させた第２の回転制限角度に制限するように（すなわち、かかる第２の回転制限角度よりも時計回り方向へは回転させないように）、回転体保持部材４７における第２の角度制限突起４７ＣＹの配置位置が選定されている。従って可動部４５は、回転操作つまみ４８に対する時計回り方向への回転操作に応じて回転体保持部材４７に対し回転体４６を回転させても、その回転を制限したときには、回転体保持部材４７に対し回転体４６を溝部開放状態から時計回り方向へ約 180度の回転角度（すなわち、第２の回転制限角度）まで回転して溝部閉塞状態になる。
【００４０】
また回転体保持部材４７において保持部本体４７Ａは、外側面の一方の切欠端４７ＡＬ寄りの所定位置に、第２の位置保持用凹部４７ＡＱと第２の位置保持用凸部４７ＡＲとが並設されている。従って可動部４５は、例えば回転操作つまみ４８の一面を正面に見て当該回転操作つまみ４８が時計回り方向に回転され、かかる時計回り方向への回転を制限するとき、回転体４６の位置保持用腕部４６ＡＲに設けられた位置保持用突起４６ＡＵを、回転体保持部材４７の第２の位置保持用凸部４７ＡＲを乗り越えさせてから第２の位置保持用凹部４７ＡＱに落とし込んでいる。すなわち可動部４５は、回転体４６の位置保持用腕部４６ＡＲに設けられた位置保持用突起４６ＡＵを、回転体保持部材４７の第２の位置保持用凹部４７ＡＱに落とし込むことで、当該回転体保持部材４７に対し回転体４６を第２の回転制限角度に保持し得るようになされている。
【００４１】
また回転体４６の位置保持用突起４６ＡＵには、このように時計回り方向への回転のときも、回転体保持部材４７の他方の切欠端４７ＡＭの肉薄な部分と、一方及び他方の切欠端４７ＡＬ及び４７ＡＭ間とを通過するときに何ら接触するものがないため、位置保持用腕部４６ＡＲの形状は本来の円弧形状になっている。しかしながら位置保持用腕部４６ＡＲの形状は、位置保持用突起４６ＡＵが、保持部本体４７Ａの一方の切欠端４７ＡＭに到達して第２の位置保持用凸部４７ＡＲを乗り越えるときに当該第２の位置保持用凸部４７ＡＲに押し上げられるため、本来の円弧形状から外面側に反るように変形する。従って可動部４５は、このように時計回り方向への回転により位置保持用突起４６ＡＵが第２の位置保持用凸部４７ＡＲを乗り越えるときにも位置保持用腕部４６ＡＲが外面に反るために要する力を、回転操作つまみ４８に対する回転操作の負荷としてユーザに伝える。また可動部４５は、かかる負荷をユーザに伝えた次の瞬間には、位置保持用突起４６ＡＵを第２の位置保持用凹部４７ＡＱに落とし込んで位置保持用腕部４６ＡＲの形状を本来の円弧形状に戻し、その負荷を取り除くことで、回転操作の感覚を元に戻している。そして可動部４５は、このように時計回り方向への回転により位置保持用突起４６ＡＵを第２の位置保持用凹部４７ＡＱに落とし込んだときには、回転体保持部材４７に対する回転体４６の回転を制限すると共に、当該回転体４６をその時点の第２の回転制限角度に保持する。このため可動部４５は、ユーザにより回転操作つまみ４８が時計回り方向へ回転操作されたとき、当該ユーザに対し回転操作つまみ４８に対する回転操作時の負荷の変化によって、回転操作つまみ４８を時計回り方向へ第２の回転制限角度まで回転させ、かつ回転体４６をその第２の回転制限角度に保持したことを直感的に認識させることができるようになされている。
【００４２】
ところで可動部４５（図５及び図６）において回転体保持部材４７の他端側回転ガイド体４７Ｃには、その一面において切欠の形成された側とは対向する部分に、ケースヒンジ部３４の回動軸３４Ａとほぼ平行な回動軸５０Ａを有するヒンジ部（以下、これを可動部待避用ヒンジ部と呼ぶ）５０の一対の可動部側腕状固定部材５０Ｂ及び５０Ｃが設けられている。またケース蓋体３３の蓋体他端部には、かかる可動部待避用ヒンジ部５０において一対の可動部側腕状固定部材５０Ｂ及び５０Ｃの両側に位置する一対の蓋体側腕状固定部材５０Ｄ及び５０Ｅが設けられている。さらに可動部待避用ヒンジ部５０は、一対の可動部側腕状固定部材５０Ｂ及び５０Ｃの先端部及び一対の蓋体側腕状固定部材５０Ｄ及び５０Ｅの先端部にそれぞれ軸受孔が穿設されている。そして可動部待避用ヒンジ部５０は、一方の蓋体側腕状固定部材５０Ｄの軸受孔から一対の可動部側腕状固定部材５０Ｂ及び５０Ｃの軸受孔を介して他方の蓋体側腕状固定部材５０Ｅの軸受孔まで回動軸５０Ａが挿通されている。
【００４３】
これにより可動部待避用ヒンジ部５０は、回転体保持部材４７の他端側回転ガイド体４７Ｃと、ケース蓋体３３の蓋体他端部とを連結して当該ケース蓋体３３に対し可動部４５を、回動軸５０Ａを中心にして開放方向及び閉塞方向に回動させ得るようになされている。そして可動部待避用ヒンジ部５０は、例えばケース本体３２に対しケース蓋体３３が閉塞方向に回転し本体縁部３２Ａと蓋体縁部３３Ａとが合わされている場合、ケース蓋体３３に対し可動部４５が閉塞方向に回転すると、回転体保持部材４７の他端側回転ガイド体４７Ｃの一面を、ケース本体３２の突起部３２ＤＸに対向させるように位置させ、回転体４６の回転軸をケース長手方向とほぼ平行し、かつプラグ挿通孔３２ＤＹの中心軸の延長線上に位置させることができる。また可動部待避用ヒンジ部５０は、例えばケース本体３２に対しケース蓋体３３が閉塞方向に回転し本体縁部３２Ａと蓋体縁部３３Ａとが合わされている場合、ケース蓋体３３に対し可動部４５が開放方向に回転すると、当該可動部４５をケース蓋体３３の蓋体表面３３Ｂ上に位置させることができる。
【００４４】
ところで可動部待避用ヒンジ部５０は、ケース蓋体３３の蓋体他端部に対し、可動部４５として回転体保持部材４７の他端側回転ガイド体４７Ｃの切欠が形成された側とは対向する部分を連結している。従って可動部待避用ヒンジ部５０は、ケース蓋体３３に対し可動部４５が閉塞方向に回転した場合、回転体保持部材４７の一方及び他方の切欠端４７ＡＬ及び４７ＡＭをケース本体３２の底板３２Ｂ側に向けることができる。
【００４５】
そしてケース本体３２の突起部３２ＤＸ（図６及び図７）には、底板３２Ｂ寄りの縁部に略Ｌ字状の爪部３２ＤＺが腕部を当該底板３２Ｂの方向に向けて（すなわち、かかる腕部と突起部３２ＤＸとの間の溝を底板３２Ｂに向けて）設けられている。また可動部４５において回転体４６は、突起部３２ＤＸと対向する面の縁部が例えば一方の開放端４６ＡＭから他方の開放端４６ＡＮに渡って突出し、その突出部分の断面が略Ｌ字状となるように当該突出部分の内面根元部分から外面方向に掘られた溝部４６ＡＸが形成されている。
【００４６】
従って防滴ケース３０は、ケース本体３２に対しケース蓋体３３が閉塞方向に回転し本体縁部３２Ａと蓋体縁部３３Ａとが合わされている状態で、可動部待避用ヒンジ部５０を介してケース蓋体３３に対し溝部開放状態の可動部４５が閉塞方向に回転すると、回転体保持部材４７の他端側回転ガイド体４７Ｃの一面をケース本体３２の突起部３２ＤＸと対向させ、かつ突起部３２ＤＸの爪部３２ＤＺを回転体保持部材４７の一方及び他方の切欠端４７ＡＬ及び４７ＡＭ間に位置させる。そして防滴ケース３０は、かかる状態で回転操作つまみ４８の一面を正面に見て当該回転操作つまみ４８が時計回り方向に回転されると、これに応じて回転体４６も時計回り方向に回転させ、その結果、ケース本体３２の爪部３２ＤＺに対し回転体４６の溝部４６ＡＸを嵌合させる。これにより防滴ケース３０は、ケース本体３２及びケース蓋体３３において本体縁部３２Ａと蓋体縁部３３Ａとが合わされた状態を保持することができる。
【００４７】
また防滴ケース３０は、このようにケース本体３２及びケース蓋体３３において本体縁部３２Ａと蓋体縁部３３Ａとが合わされた状態を保持していても、回転操作つまみ４８の一面を正面に見て当該回転操作つまみ４８が反時計回り方向に回転されると、これに応じて回転体４６も反時計回り方向に回転させ、その結果、ケース本体３２の爪部３２ＤＺから回転体４６の溝部４６ＡＸを外す。これにより防滴ケース３０は、ケース本体３２及びケース蓋体３３において本体縁部３２Ａと蓋体縁部３３Ａとが合わされた状態の保持を解く（すなわち、ケース本体３２に対しケース蓋体３３を開放方向に回転可能な状態にすることであり、以下、これを解除と呼ぶ）ことができる。
【００４８】
従って図９（Ａ）乃至（Ｄ）に示すように、防滴ケース３０は、ケース本体３２に対しケース蓋体３３が開放方向に回転されると（すなわち、ケース本体３１に対しケース蓋体３３が開かれると）、ケース本体３２内に携帯型音楽再生装置１を入れさせることができると共に、その際に携帯型音楽再生装置１のイヤホンジャック１５に対し外部からイヤホンプラグ１６を差し込ませることができる。この状態で防滴ケース３０は、ケース本体３２に対しケース蓋体３３が閉塞方向に回転され本体縁部３２Ａに対し蓋体縁部３３Ａが合わされた（すなわち、ケース本体３１に対しケース蓋体３３が閉じられた）後、ケース蓋体３３に対し可動部４５が閉塞方向に回転されると、その可動部４５をケース本体３２の突起部３２ＤＸと対向させる。そして防滴ケース３０は、回転操作つまみ４８がその一面を正面に見て時計回り方向に回転されると、これに応じて回転体４６を時計回り方向に回転させて溝部４６ＡＸとケース本体３２の爪部３２ＤＺとを嵌合させることによりケース本体３２の本体縁部３２Ａとケース蓋体３３の蓋体縁部３３Ａとが合わされた状態を保持することができる。これにより防滴ケース３０は、例えば内部に携帯型音楽再生装置１を収納した状態で持ち運ばれても、ケース本体３２に対しケース蓋体３３が開いて携帯型音楽再生装置１が外部に出ることを確実に防止することができる。
【００４９】
一方、図１０（Ａ）乃至（Ｄ）に示すように、防滴ケース３０は、ケース本体３２及びケース蓋体３３内に携帯型音楽再生装置１を収納し、本体縁部３２Ａと蓋体縁部３３Ａとが合わされた状態を保持している場合、回転操作つまみ４８がその一面を正面に見て反時計回り方向に回転されると、これに応じて回転体４６を反時計回り方向に回転させて溝部４６ＡＸをケース本体３２の爪部３２ＤＺから外すことにより、本体縁部３２Ａと蓋体縁部３３Ａとが合わされた状態を解除する。そして防滴ケース３０は、ケース蓋体３３に対し可動部４５が開放方向に回転されると、その可動部４５をケース蓋体３３の蓋体表面３３Ｂ上に待避させる。すなわち防滴ケース３０は、このようにケース蓋体３３の蓋体表面３３Ｂ上に可動体４５を待避させると、イヤホンプラグ１６のつまみ部１６Ｂを容易につまませて、携帯型音楽再生装置１のイヤホンジャック１５からイヤホンプラグ１５を引き抜かせることができる。ただし防滴ケース３０は、ケース本体３２内の携帯型音楽再生装置１のイヤホンジャック１５に外部からイヤホンプラグ１６が差し込まれた状態で、ケース本体３２に対しケース蓋体３３が開放方向に回転された場合には、当該ケース本体３２内の携帯型音楽再生装置１のイヤホンジャック１５からイヤホンプラグ１６を引き抜かせた後、当該ケース本体３２内から携帯型音楽再生装置１を取り出させることができる。
【００５０】
ところで防滴ケース３０は、ケース本体３２及びケース蓋体３３の内部に収納された携帯型音楽再生装置１のイヤホンジャック１５に対し外部からイヤホンプラグ１６が差し込まれている場合には、その携帯型音楽再生装置１の取り出しの有無にかかわらずに、可動部４５が溝部開放状態でケース蓋体３３の蓋体表面３３Ｂ上に待避されると、携帯型音楽再生装置１のイヤホンジャック１５からイヤホンプラグ１６を抜き取らせることができる。また防滴ケース３０は、ケース本体３２及びケース蓋体３３の内部に収納された携帯型音楽再生装置１のイヤホンジャック１５に対し外部からイヤホンプラグ１６が差し込まれ、ケース本体３２の本体縁部３２Ａとケース蓋体３３の蓋体縁部３３Ａとが合わされた状態を保持していると、可動部４５の孔部にイヤホンプラグ１６のつまみ部１６Ｂを入り込ませている。すなわち可動部４５は、このとき溝部閉塞状態になって中央のつまみ部１６Ｂの側面を一周に渡って囲むようになされている。
【００５１】
そして可動部４５は、回転体保持部材４７の他端側回転ガイド体４７Ｃの一面から回転操作つまみ４８の一面までの全体の高さが、ケース本体３２及びケース蓋体３３の内部に収納された携帯型音楽再生装置１のイヤホンジャック１５に外部から差し込まれているイヤホンプラグ１６において、ケース本体３２の突起部３２ＤＸから外部に突出している部分の長さに応じて選定されている。従って可動部４５は、ケース本体３２及びケース蓋体３３の内部に収納された携帯型音楽再生装置１のイヤホンジャック１５に対し外部からイヤホンプラグ１６が差し込まれた状態で、ケース本体３２の突起部３２ＤＸと対向した位置で溝部閉塞状態になった場合、当該イヤホンプラグ１６のつまみ部１６Ｂの側面全体を一周に渡って囲んで、そのつまみ部１６Ｂを外部から保護し得るようになされている。
【００５２】
なお、この実施の形態の場合、防滴ケース３０には、ストラップを取り付けることができるようになされている。図１１に示すように、かかるストラップ５５は、箱状の紐固定具５６を有し、当該紐固定具５６が一端側から内部に挿入されるストラップ紐５７の両端部を保持すると共に、松葉紐５８の両端部を内部に保持し当該松葉紐５８の環状の部分を他端側から外部に引き出している。一方、可動部待避用ヒンジ部５０に設けられた一対の可動部側腕状固定部材５０Ｂ及び５０Ｃは、それぞれ根元部分から軸受孔までの距離が所定長さに選定され、かつ互いに離間して配置されている。また可動部待避用ヒンジ部５０に設けられた一対の蓋体側腕状固定部材５０Ｄ及び５０Ｅも、根元部分から軸受孔までの距離が所定長さに選定されている。そして可動部待避用ヒンジ部５０は、回動軸５０Ａをケース蓋体３３の蓋体表面３３Ｂや可動部４５から引き離し、かつ一対の可動部側腕状固定部材５０Ｂ及び５０Ｃ間から露出させている。従って防滴ケース３０は、かかる回動軸５０Ａの露出部分に対しストラップ５５の松葉紐５８をくくりつけさせることができるようになされている。これにより防滴ケース３０は、内部に携帯型音楽再生装置１を収納したまま、ストラップ５５を介してユーザの首や手等からぶら下げた状態で使用させ得るようになされている。
【００５３】
（１−４）動作及び効果
以上の構成において、防滴ケース３０は、ケース本体３２に対しケース蓋体３３が開放方向に回転され、当該ケース本体３２内に携帯型音楽再生装置１が入れられた状態でケース本体３２に対しケース蓋体３３が閉塞方向に回転されると、本体縁部３２Ａに対し蓋体縁部３３Ａを合わせる。そして防滴ケース３０は、ケース蓋体３３に対し可動部４５が閉塞方向に回転されケース本体３２の突起部３２ＤＸと対向させると、これに応じて回転体４６の回転軸をケース長手方向と平行にする。引き続き防滴ケース３０は、回転体４６が閉塞方向や開放方向とは異なり、ケース長手方向と平行にした回転軸を中心にして時計回り方向に回転されると、回転体４６の溝部４６ＡＸをケース本体３２の爪部３２ＤＺと嵌合させて、ケース本体３２の本体縁部３２Ａとケース蓋体３３の蓋体縁部３３Ａとが合わされた状態を保持する。
【００５４】
従って防滴ケース３０は、ケース本体３２に対しケース蓋体３３が閉塞方向に回転されて本体縁部３２Ａに蓋体縁部３３Ａが合わされたときに、可動部４５をケース本体３２に比較的強い力で押し付けさせるようなことはさせずに、その可動部４５内の回転体４６を閉塞方向や開放方向とは異なる、ケース長手方向と平行にした回転軸を中心にして時計回り方向に回転させるだけで当該回転体４６の溝部４６ＡＸを爪部３２ＤＺと嵌合させて、本体縁部３２Ａに蓋体縁部３３Ａが合わされた状態を保持することができる。
【００５５】
以上の構成によれば、防滴ケース３０は、ケース本体３２に対しケース蓋体３３が閉塞方向に回転され本体縁部３２Ａに対し蓋体縁部３３Ａが合わせられ、さらにケース蓋体３３に対し可動部４５が閉塞方向に回転されケース本体３２の突起部３２ＤＸと対向させた状態で当該可動部４５内の回転体４６が閉塞方向や開放方向とは異なり、ケース長手方向と平行にした回転軸を中心にして時計回り方向に回転されると、回転体４６の溝部４６ＡＸをケース本体３２の爪部３２ＤＺと嵌合させて、ケース本体３２の本体縁部３２Ａとケース蓋体３３の蓋体縁部３３Ａとが合わされた状態を保持する。これにより防滴ケース３０は、ケース本体３２に対しケース蓋体３３が閉塞方向に回転されて本体縁部３２Ａに蓋体縁部３３Ａが合わされたときに、可動部４５をケース本体３２に比較的強い力で押し付けさせるようなことはさせずに、その可動部４５内の回転体４６を閉塞方向や開放方向とは異なる、ケース長手方向と平行にした回転軸を中心にして単に時計回り方向に回転させるだけで当該回転体４６の溝部４６ＡＸを爪部３２ＤＺと嵌合させて本体縁部３２Ａに蓋体縁部３３Ａが合わされた状態を保持することができる。よって防滴ケース３０は、その使い勝手を格段的に向上させることができる。
【００５６】
ところで従来の電子機器用防水ケースによれば、前ケース分割体に対しバックルを比較的強い力で押し付けることで、当該バックルの係止片を一旦は２つの壁部の上端側から前側に強制的に回り込ませている。すなわち従来の電子機器用防水ケースでは、バックルの係止片を２つの壁部に押し付けることで摺動させているため、前ケース分割体及び後ケース分割体の双方の合わせ部が合わされた状態を保持するような操作を繰り返すと、その分、係止片や２つの壁部が擦り減り、当該前ケース分割体及び後ケース分割体の双方の合わせ部が合わされた状態を保持する力が弱まる傾向にある。これに対して本実施の形態による防滴ケース３０は、ケース本体３２の本体縁部３２Ａにケース蓋体３３の蓋体縁部３３Ａが合わされた状態を保持する場合、回転体４６をケース本体３２に対し特に強い力で押し付けさせることなく、単に回転体４６を回転させて爪部と嵌合させている。このため防滴ケース３０によれば、ケース本体３２の本体縁部３２Ａにケース蓋体３３の蓋体縁部３３Ａが合わされた状態を保持するような操作（すなわち、回転体４６の回転操作）が繰り返されても、爪部等がほとんど擦り減ることはなく、よってケース本体３２の本体縁部３２Ａにケース蓋体３３の蓋体縁部３３Ａが合わされた状態を、何時もほぼ同じ保持力で保持することができる。
【００５７】
また防滴ケース３０は、ケース本体３２及びケース蓋体３３の内部に収納した携帯型音楽再生装置１のイヤホンジャック１５に対し、外部から差し込まれるイヤホンプラグ１６のつまみ部１６Ｂを可動部４５の中央の孔部に通すようにした。従って防滴ケース３０は、可動部４５とイヤホンプラグ１６のつまみ部１６Ｂとを一箇所にまとめて配置する分、全体を小型コンパクト化することができると共に、可動部４５によりイヤホンプラグ１６のつまみ部１６Ｂを保護することもできる。
【００５８】
さらに防滴ケース３０は、可動部４５の回転体４６が時計回り方向に第１の回転制限角度まで回転したとき回転体保持部材４７に対し回転体４６を第１の回転制限角度に保持するようにした。従って防滴ケース３０は、当該防滴ケース３０の使用中に外部から加えられる振動等により回転体保持部材４７に対し回転体４６が勝手に反時計回り方向に回転してケース本体３２の本体縁部３２Ａにケース蓋体３３の蓋体縁部３３Ａが合わされた状態が解除されることを防止することができる。さらにまた防滴ケース３０は、このように回転体４６の回転角度を第１及び第２の回転制限角度に制限し、かつ回転体４６を第１及び第２の回転制限角度に保持するようにした。従って防滴ケース３０は、ユーザに対しケース本体３２の本体縁部３２Ａにケース蓋体３３の蓋体縁部３３Ａが合わされた状態を確実に保持する回転角度や確実に解除する回転角度を容易にかつ的確に認識させることができる。
【００５９】
（２）他の実施の形態
なお上述した実施の形態においては、回転体４６を閉塞方向や開放方向とは異なる、ケース長手方向と平行にした回転軸を中心にして時計回り方向に回転させて当該回転体４６の溝部４６ＡＸを爪部３２ＤＺと嵌合させて本体縁部３２Ａに蓋体縁部３３Ａが合わされた状態を保持するようにした場合について述べたが、本発明はこれに限らず、スライド可能な可動部を閉塞方向や開放方向とは異なる、例えばケース長手方向と直交し、かつ蓋体表面３３Ｂとほぼ平行な方向にスライドさせて可動部の溝部を爪部と嵌合させることにより本体縁部に蓋体縁部が合わされた状態を保持するようにしても良い。このように構成しても上述した実施の形態と同様の効果を得ることができる。
【００６０】
また上述した実施の形態においては、ケース蓋体３３に対し可動部４５を開放方向及び閉塞方向に回動させるようにした場合について述べたが、本発明はこれに限らず、ケース本体３２に対しケース蓋体３３を閉塞方向に回転させるだけで可動部４５をケース本体３２の突起部３２ＤＸと対向させるように、当該ケース蓋体３３に対し可動部４５を予め枢支するようにしても良い。かかる構成によれば、防滴ケースをケース蓋体に対し可動部を回動させるための可動部待避用ヒンジ部５０を除いて構成することができ、当該防滴ケース３０の構成を簡易化することができる。
【００６１】
さらに上述した実施の形態においては、ケース蓋体３３に対し可動部４５を開放方向に回転させて当該可動部４５をケース蓋体３３の蓋体表面３３Ｂ上に待避させるようにした場合について述べたが、本発明はこれに限らず、ケース蓋体に対し可動部をスライド自在に設け、かかるスライドにより可動部をケース蓋体の蓋体表面上に待避させるようにしても良い。
【００６２】
さらに上述した実施の形態においては、ケース本体３２及びケース蓋体３３の内部に収納した携帯型音楽再生装置１のイヤホンジャック１５に対し、外部から差し込まれるイヤホンプラグ１６のつまみ部１６Ｂを可動部４５の中央の孔部に通すようにした場合について述べたが、本発明はこれに限らず、収納対象の電子機器の種類に応じて可動部の中央部にデータ転送ケーブルに設けられたプラグのつまみ部を通し、又はケース本体部に対しプラグ挿通孔を設けないようにし、さらには収納対象の電子機器の形状に応じてケース本体部に対し可動部の配置位置とは異なる位置にプラグ挿通孔を設けるようにしても良い。ただしかかる構成では、可動部とプラグ挿通孔との配置位置が異なっても、これらをケース本体部のケース他端部側に集結させて設け、防滴ケースを極力小型コンパクト化することもできる。
【００６３】
さらに上述した実施の形態においては、回転体４６の回転角度を第１及び第２の回転制限角度に制限し、また回転体保持部材４７に対し回転体４６を第１及び第２の回転制限角度に保持するようにした場合について述べたが、本発明はこれに限らず、回転体４６に対し回転角度を制限する制限機構と、回転体４６を回転角度に保持する保持機構とのうち、何れか一方の機構のみを実現するようにしても良いし、制限機構及び保持機構を設けずに、回転体４６を一方の方向にのみ回転させるようにしても良い。
【００６４】
さらに上述した実施の形態においては、本発明による電子機器収納ケース及びケース付電子機器を、図１乃至図１１について上述した防滴ケース３０及び携帯型音楽再生装置１に適用するようにした場合について述べたが、本発明はこれに限らず、携帯型半導体メモリやデジタルカメラ、携帯型ラジオ、携帯型映像再生装置、携帯型ゲーム機、ＰＤＡ（Personal Digital Assistance ）等の電子機器を収納可能な収納ケース（すなわち、防滴機能及び防水機能を何ら有してはいないもの）や防水ケース等のように、この他種々の電子機器収納ケース及びケース付電子機器に広く適用することができる。
【００６５】
さらに上述した実施の形態においては、互いの第１の縁部と第２の縁部とを合わせて内部に電子機器収納空間を形成する第１及び第２のケース分割体として、図１乃至図１１について上述したケース本体３２及びケース蓋体３３を適用するようにした場合について述べたが、本発明はこれに限らず、第１のケース分割体に対し爪部を設け、第２のケース分割体に対し可動部を設けるようにすれば、収納対象の電子機器の形状等に応じて、この他種々の形状の第１及び第２のケース分割体を広く適用することができる。
【００６６】
さらに上述した実施の形態においては、第２のケース分割体の他端部に設けられ、第１のケース分割体に対し第２のケース分割体が回動する開放方向及び閉塞方向とは異なる所定の可動方向に動く可動部として、図１乃至図１１について上述した回転動作する可動部４５を適用するようにした場合について述べたが、本発明はこれに限らず、スライド動作する可動部のように、この他種々の可動部を広く適用することができる。
【００６７】
さらに上述した実施の形態においては、回転体保持部材に対し回転体が所定角度まで回転したとき、当該回転体保持部材に対し回転体を所定角度に保持する保持部材として、図１乃至図１１について上述した回転体４６の位置保持用腕部４６ＡＲ及び位置保持用突起４６ＡＵと、回転体保持部材４７の第１の位置保持用凹部４７ＡＮ及び第２の位置保持用凹部４７ＡＱとを適用するようにした場合について述べたが、本発明はこれに限らず、この他種々の構造の位置保持部材を広く適用することができる。
【００６８】
さらに上述した実施の形態においては、第１のケース分割体の他端部に設けられた係合部として、図１乃至図１１について上述したケース本体３２に設けられた爪部３２ＤＸを適用すると共に、可動部に設けられた被係合部として、図１乃至図１１について上述した回転体４６に設けられた溝部４６ＡＸとを適用するようにした場合について述べたが、本発明はこれに限らず、ケース本体３２に対しケース蓋体３３が閉塞方向に回転され本体縁部３２Ａと蓋体縁部３３Ａとが合わされた状態で回転体４６が回転されると、溝部４６ＡＸと爪部３２ＤＸとが何ら接触せずに対向する位置に配され、ケース本体３２に対しケース蓋体３３が開放方向に回転するように作用したときにのみ、溝部４６Ａと爪部３２ＤＸとが係合して本体縁部３２Ａと蓋体縁部３３Ａとが合わされた状態を的確に保持するようなこれら爪部３２ＤＺ及び溝部４６ＡＸを適用するようにしても良い。かかる爪部３２ＤＺ及び溝部４６ＡＸを適用すると、回転体４６が回転された際に爪部３２ＤＺと溝部４６ＡＸとが接触しないため、回転体４６を回転させるために加えさせる外力を大幅に低減させ得ると共に、これら爪部３２ＤＺ及び溝部４６ＡＸ同士が擦り合うことによる磨耗も大幅に低減させることができる。そして、かかる爪部３２ＤＺ及び溝部４６ＡＸのような係合部及び被係合部としては、その形状を互いに嵌合し合う略Ｌ字状にこだわるものではなく、少なくともケース本体３２に対しケース蓋体３３が開放方向に回転するように作用したときにのみ、嵌合や掛合等のように係合すれば、この他種々の形状の係合部及び被係合部を広く適用することができる。
【産業上の利用可能性】
【００６９】
本発明は、携帯型音楽再生装置や携帯型半導体メモリ等の電子機器を収納する収納ケースに利用することができる。
【図面の簡単な説明】
【００７０】
【図１】本発明による携帯型音楽再生装置の外観構成（１）の一実施の形態を示す略線的斜視図である。
【図２】本発明による携帯型音楽再生装置の外観構成（２）の一実施の形態を示す略線的斜視図である。
【図３】コネクタ用キャップの取り外しの説明に供する略線的斜視図である。
【図４】携帯型音楽再生装置の回路構成を示すブロック図である。
【図５】防滴ケースの外観構成を示す略線的斜視図である。
【図６】防滴ケースの詳細構成を示す略線的斜視図である。
【図７】防滴ケースのケース他端部側の構成を示す略線的断面図である。
【図８】回転体保持部材に対する回転体の回転の説明に供する略線的断面図である。
【図９】防滴ケースに対する携帯型音楽再生装置の収納の説明に供する略線的斜視図である。
【図１０】防滴ケースからの携帯型音楽再生装置の取り出しの説明に供する略線的斜視図である。
【図１１】防滴ケースに対するストラップの取り付けの説明に供する略線的斜視図である。
【符号の説明】
【００７１】
１……携帯型音楽再生装置、１６……イヤホンプラグ、１６Ｂ……つまみ部、３０……防滴ケース、３１……ケース本体部、３２……ケース本体、３２Ａ……本体縁部、３３……ケース蓋体、３３Ａ……蓋体縁部、３２ＤＸ……爪部、３２ＤＹ……プラグ挿通孔、３４……ケースヒンジ部、４０……パッキン、４５……可動部、４６……回転体、４６ＡＲ……位置保持用腕部、４６ＡＵ……位置保持用突起、４６ＡＸ……溝部、４７……回転体保持部材、４７ＡＮ……第１の位置保持用凹部、４７ＡＱ……第２の位置保持用凹部、４８……回転操作つまみ、５０……可動部退避用ヒンジ部。
【図１】
2007281041.tif 000003
【図２】
2007281041.tif 000004
【図３】
2007281041.tif 000005
【図４】
2007281041.tif 000006
【図５】
2007281041.tif 000007
【図６】
2007281041.tif 000008
【図７】
2007281041.tif 000009
【図８】
2007281041.tif 000010
【図９】
2007281041.tif 000011
【図１０】
2007281041.tif 000012
【図１１】
2007281041.tif 000013